(57)【特許請求の範囲】
【請求項１】
調理容器を加熱するコンロバーナと、前記コンロバーナの火力を調節する火力調節手段と、火力調節指令を指令する火力調節指令手段と、前記コンロバーナの燃焼開始指令および燃焼停止指令を指令する点消火指令手段と、前記コンロバーナの燃焼を制御する運転制御手段とを備え、
前記運転制御手段が、前記点消火指令手段の前記燃焼開始指令に基づいて、前記コンロバーナの燃焼を開始し、かつ、前記燃焼停止指令に基づいて、前記コンロバーナの燃焼を停止させる燃焼制御を実行するとともに、
前記運転制御手段が、前記火力調節指令手段の前記火力調節指令に基づいて、前記コンロバーナの火力を、設定最大火力、設定最小火力、および、前記設定最大火力と前記設定最小火力との間に設定された中間火力に調節することができるように前記火力調節手段を作動させる火力調節制御を実行するように構成され、
前記燃焼開始指令が指令された点火時に、設定点火用火力にて前記コンロバーナの点火を行うように構成されたガスコンロであって、
前記コンロバーナの温度を判定する温度判定手段と、前記設定点火用火力を変更設定する設定点火用火力変更設定部を備え、
前記設定点火用火力変更設定部が、前記コンロバーナの温度を判定する前記温度判定手段により判定された判定温度が所定の温度以上の場合には、前記温度判定手段により判定された判定温度が所定の温度未満の場合と比べて、前記設定点火用火力を小さくする変更設定を行うように構成されていること
を特徴とするガスコンロ。
【請求項２】
前記コンロバーナの温度を検出するコンロバーナ温度検出手段が、前記温度判定手段が前記コンロバーナの温度を判定するための温度データの検出手段として機能するように構成されていることを特徴とする請求項１記載のガスコンロ。
【請求項３】
前記コンロバーナに形成される火炎の温度を検出して前記コンロバーナの着火を検出する着火検出手段を備えている場合において、前記着火検出手段が、前記温度判定手段が前記コンロバーナの温度を判定するための温度データの検出手段として機能するように構成されていることを特徴とする請求項１記載のガスコンロ。
【請求項４】
前記燃焼開始指令が指令された後における、前記コンロバーナの燃焼時間を計測する燃焼時間タイマを備えるとともに、
前記燃焼時間タイマにより計測される前記燃焼時間が所定の時間以上の場合に前記燃焼停止指令が指令された後の経過時間を燃焼後燃焼停止時間として計測する燃焼後燃焼停止時間タイマを備え、
前記燃焼後燃焼停止時間タイマにより計測される前記燃焼後燃焼停止時間が所定の時間以下の状態で燃焼開始指令が指令された場合には、前記燃焼後燃焼停止時間タイマにより計測される前記燃焼後燃焼停止時間が所定の時間を超える状態で燃焼開始指令が指令された場合と比べて、前記判定温度が高いと判定すること
を特徴とする請求項１記載のガスコンロ。
【発明の詳細な説明】
【技術分野】
【０００１】
本発明は、ガスコンロに関し、詳しくは、ガスコンロの点火性能の向上を図るための技術に関する。
【背景技術】
【０００２】
ガスコンロには、使用条件などにより、火力の上限（最大火力）が変更設定されるように構成されたガスコンロがある。
【０００３】
従来のガスコンロとして、特許文献１には、火力調節用操作具の操作によってパルス信号を出力するパルス発生手段としてのロータリーエンコーダを備え、この出力パルスが制御部に入力され、制御部によって、コンロバーナへのガス燃料の供給量を調節するコンロ用流量調節弁を制御して、コンロバーナの火力を調節するように構成されたガスコンロであって、エコモードを指令するエコモード指令スイッチを備え、エコモード指令スイッチの操作によってエコモードが指令されると、エコモード指令前においては５段階に調節されるコンロバーナの火力が１７段階に調節されるように構成されたガスコンロが提案されている。
【０００４】
そして、このガスコンロは、 エコモード指令前においては火力調節指令手段の火力調節指令によって調節可能な、コンロバーナの火力の最大値が設定最大火力であるのに対し、エコモードが指令されると火力調節指令手段の火力調節指令によって調節可能な、コンロバーナの火力の最大値が設定最大火力よりも小さな低減最大火力に制限されるように構成されており、安全性や、使い勝手の向上が図られている。
【０００５】
また、このようなガスコンロにおいては、通常、コンロバーナの点火時には、所定の点火用流量にてガス燃料をコンロバーナに供給して点火を行っている。
【０００６】
なお、特許文献１には、 詳しく記載されていないが、一般的に、点火時の燃料ガスの供給量（点火用流量）は、所定の予め定められた流量とされている。
そして、コンロバーナに確実に点火することができるように、必要十分な流量とされている。
【０００７】
しかしながら、点火時の燃料ガスの供給量が所定の予め定められた流量とされているガスコンロにおいては、コンロバーナの温度などの条件によっては、点火時に、コンロバーナの火炎が大きく広がってしまう場合があり、使用者を驚かせてしまう場合があり、また、安全上からも望ましくないことから、改善の余地がある。
【０００８】
これに対し、燃料ガスの供給量を絞ることが考えられるが、単に燃料ガスの供給量を絞るだけでは、コンロバーナの火炎の広がりは抑制されるものの点火が良好に行われない（点火性能が低下する）という問題点がある。
【先行技術文献】
【特許文献】
【０００９】
【特許文献１】特開２０１３−１３４０４７号公報
【発明の概要】
【発明が解決しようとする課題】
【００１０】
本発明は、上記課題を解決するものであり、点火時におけるコンロバーナの火炎の広がりを抑制することが可能で、しかも、点火性能が良好で確実に点火を行うことが可能なガスコンロを提供することを目的とする。
【課題を解決するための手段】
【００１１】
上記課題を解決するため、本発明のガスコンロは、
調理容器を加熱するコンロバーナと、前記コンロバーナの火力を調節する火力調節手段と、火力調節指令を指令する火力調節指令手段と、前記コンロバーナの燃焼開始指令および燃焼停止指令を指令する点消火指令手段と、前記コンロバーナの燃焼を制御する運転制御手段とを備え、
前記運転制御手段が、前記点消火指令手段の前記燃焼開始指令に基づいて、前記コンロバーナの燃焼を開始し、かつ、前記燃焼停止指令に基づいて、前記コンロバーナの燃焼を停止させる燃焼制御を実行するとともに、
前記運転制御手段が、前記火力調節指令手段の前記火力調節指令に基づいて、前記コンロバーナの火力を、設定最大火力、設定最小火力、および、前記設定最大火力と前記設定最小火力との間に設定された中間火力に調節することができるように前記火力調節手段を作動させる火力調節制御を実行するように構成され、
前記燃焼開始指令が指令された点火時に、設定点火用火力にて前記コンロバーナの点火を行うように構成されたガスコンロであって、
前記コンロバーナの温度を判定する温度判定手段と、前記設定点火用火力を変更設定する設定点火用火力変更設定部を備え、
前記設定点火用火力変更設定部が、前記コンロバーナの温度を判定する前記温度判定手段により判定された判定温度が所定の温度以上の場合には、前記温度判定手段により判定された判定温度が所定の温度未満の場合と比べて、前記設定点火用火力を小さくする変更設定を行うように構成されていること
を特徴としている。
【００１２】
また、本発明のガスコンロにおいては、前記コンロバーナの温度を検出するコンロバーナ温度検出手段が、前記温度判定手段が前記コンロバーナの温度を判定するための温度データの検出手段として機能するように構成されていることが好ましい。
【００１３】
なお、コンロバーナの温度を検出するコンロバーナ温度検出手段とは、例えば、コンロバーナを構成する、炎孔が形成されたバーナキャップ温度や、同じくコンロバーナを構成する、コンロバーナに供給される燃料ガスを空気と混合する混合管の温度などを検出するための温度センサを意味する概念である。
【００１４】
また、前記コンロバーナに形成される火炎の温度を検出して前記コンロバーナの着火を検出する着火検出手段を備えている場合において、前記着火検出手段が、前記温度判定手段が前記コンロバーナの温度を判定するための温度データの検出手段として機能するように構成されていてもよい。
【００１５】
また、前記燃焼開始指令が指令された後における、前記コンロバーナの燃焼時間を計測する燃焼時間タイマを備えるとともに、
前記燃焼時間タイマにより計測される前記燃焼時間が所定の時間以上の場合に前記燃焼停止指令が指令された後の経過時間を燃焼後燃焼停止時間として計測する燃焼後燃焼停止時間タイマを備え、
前記燃焼後燃焼停止時間タイマにより計測される前記燃焼後燃焼停止時間が所定の時間以下の状態で燃焼開始指令が指令された場合には、前記燃焼後燃焼停止時間タイマにより計測される前記燃焼後燃焼停止時間が所定の時間を超える状態で燃焼開始指令が指令された場合と比べて、前記判定温度が高いと判定するように構成することも可能である。
【発明の効果】
【００１６】
本発明のガスコンロは、上述のように、コンロバーナの温度を判定する温度判定手段と、設定点火用火力を変更設定する設定点火用火力変更設定部を備え、設定点火用火力変更設定部が、コンロバーナの温度を判定する温度判定手段により判定された判定温度が所定の温度以上の場合には、温度判定手段により判定された判定温度が所定の温度未満の場合と比べて、設定点火用火力を小さくする変更設定を行うように構成されているので、点火時の火移り不良を防止しつつ、点火時にコンロバーナの炎が広がり過ぎることを抑制して、安全で使用感に優れたガスコンロを提供することが可能になる。
【００１７】
なお、コンロバーナの温度を判定する温度判定手段により判定された判定温度が所定の温度以上の場合（コンロバーナの温度が高い場合）には、燃料ガスへの着火性が高くなるので、点火用火力を小さくしても、十分な火移りを確保することが可能で、点火性能が損なわれることはない。
【００１８】
また、コンロバーナの温度を検出するコンロバーナ温度検出手段を、温度判定手段がコンロバーナの温度を判定するための温度データの検出手段として機能するように構成した場合、直接コンロバーナの温度を検出することができるため、的確に設定点火用火力を変更設定することができる。
【００１９】
また、コンロバーナに形成される火炎の温度を検出してコンロバーナの着火を検出する着火検出手段を備えている場合において、着火検出手段を、温度判定手段がコンロバーナの温度を判定するための温度データの検出手段として用いるようにした場合、コンロバーナが本来的に備える構成要素を、温度判定手段がコンロバーナの温度を判定するための温度データの検出手段としても用いることができるため、製造コストの低減を図ることが可能になる。
【００２０】
また、燃焼開始指令が指令された後における、コンロバーナの燃焼時間を計測する燃焼時間タイマを備えるとともに、燃焼時間タイマにより計測される燃焼時間が所定の時間以上の場合に燃焼停止指令が指令された後の経過時間を燃焼後燃焼停止時間として計測する燃焼後燃焼停止時間タイマを備え、燃焼後燃焼停止時間タイマにより計測される燃焼後燃焼停止時間が所定の時間以下の状態で燃焼開始指令が指令された場合には、燃焼後燃焼停止時間タイマにより計測される燃焼後燃焼停止時間が所定の時間を超える状態で燃焼開始指令が指令された場合と比べて、判定温度が高いと判定するように構成した場合、特にコンロバーナ温度検出手段などのセンサを設けたりすることを必要とせずに、ソフトウェアのみで、コンロバーナの温度判定を行うことが可能になり、製造コストの低減を図ることができる。
【００２１】
すなわち、所定時間の燃焼後における燃焼停止時間が短い場合、コンロバーナの温度の低下が少なく、判定温度が高いと判定することが可能であることから、特にコンロバーナ温度検出手段などのセンサを設けたりすることを必要とせずに、ソフトウェアのみ（時間を比較するだけ）で、コンロバーナの温度判定を行うことが可能になる。
【図面の簡単な説明】
【００２２】
【図１】本発明の実施形態にかかるガスコンロの外観構成を示す図である。
【図２】本発明の実施形態にかかるガスコンロにおいて用いられているロータリーエンコーダ（火力調節指令手段）の動作を説明するためのパルス波形を示す図であり、（ａ）は正転時、（ｂ）は逆転時のパルス波形を示す図である。
【図３】本発明の実施形態にかかるガスコンロのバーナ操作部（火力調節指令手段）を示す図であり、（ａ）はバーナ操作部が使用されていない状態を示し、（ｂ）は、バーナ操作部が突出して使用可能になった状態を示す図である。
【図４】本発明の実施形態にかかるガスコンロの構成を示す図である。
【図５】本発明の第１実施形態にかかるガスコンロの要部構成を示す図である。
【図６】本発明の第２実施形態にかかるガスコンロの要部構成を示す図である。
【発明を実施するための形態】
【００２３】
以下に、本発明の実施の形態を示して、本発明の特徴とするところをさらに詳しく説明する。
【００２４】
＜本発明の実施形態にかかるガスコンロの基本構成＞
本発明の実施形態にかかるガスコンロは、
図１，３，４に示すように、調理容器を加熱するコンロバーナ１（標準バーナ１ａ、高火力バーナ１ｂ、および小バーナ１ｃの３つのバーナ）と、コンロバーナ１の火力を調節する火力調節手段（この実施形態にかかるガスコンロでは、流量制御弁３）（図４）と、  火力調節指令を指令する火力調節指令手段（バーナ操作部）２１（標準バーナ操作部２１ａ、高火力バーナ操作部２１ｂ、小バーナ操作部２１ｃ）（図１、図３）とを備えている。
【００２５】
さらに、このガスコンロは、コンロバーナ１の燃焼開始指令および燃焼停止指令を指令する点消火指令手段を備えている。なお、この実施形態にかかるガスコンロでは、火力調節指令手段（バーナ操作部）２１が、コンロバーナ１の燃焼開始指令および燃焼停止指令を指令する点消火指令手段としても機能するように構成されている。
また、このガスコンロは、コンロバーナ１の燃焼を制御する制御部（運転制御手段）（図４）を備えている。
【００２６】
また、このガスコンロは、魚などの被調理物を載置するためのグリル部４を備えており、グリル部４内にはグリルバーナ２（図４参照）が配設されている。
【００２７】
また、標準バーナ１（１ａ）には、調理容器に接触してその温度を検出するための温度センサ（鍋底温度センサ）９が配設されている。なお、高火力バーナ１ｂ、および小バーナ１ｃにも、同様に温度センサを設けるように構成することも可能である。
【００２８】
ガスコンロの前側面には、上述のコンロバーナ１と、グリル部４内に設けられたグリルバーナ２の点火および消火、火力調節と各種の設定とを手動により指令するための、火力調節指令手段（バーナ操作部）２１（標準バーナ操作部２１ａ、高火力バーナ操作部２１ｂ、小バーナ操作部２１ｃ）と、グリルバーナ２の点火および消火、火力調節と各種の設定とを手動により指令するためのグリルバーナ操作部２２（図１）が配設されている。
【００２９】
また、図４に示すように、コンロバーナ１（標準バーナ１ａ、高火力バーナ１ｂ、小バーナ１ｃ）の夫々には、点火作動を実行する点火装置としての点火プラグ７および着火状態を検出するための熱電対８が設けられ、グリルバーナ２（上側バーナ２ａ、下側バーナ２ｂ，２ｃ）の夫々にも、点火作動を実行する点火装置としての点火プラグ７および着火状態を検出するための熱電対８が設けられている。
【００３０】
なお、コンロバーナ１およびグリルバーナ２へのガス供給に関する構成は以下のとおりである。
図４に示すように、元ガス供給路（主ガス配管）１１に元ガス電磁弁１２が設けられており、元ガス供給路１１は、標準バーナ用分岐路１３ａ、高火力バーナ用分岐路１３ｂ、小バーナ用分岐路１３ｃ、グリルバーナ用分岐路１３ｄに分岐している。
【００３１】
これらの各分岐路の夫々には、ガス量を調節して各バーナの加熱量を調節する流量制御弁（ステッピングモータにより駆動されるガス量調節弁）３と、その開度位置を検出する位置センサ１９が設けられている。なお、この実施形態にかかるガスコンロでは、前記流量制御弁３が本発明における火力調節手段として機能するように構成されている。
【００３２】
また、この実施形態のガスコンロにおいては、上述の火力調節指令手段（バーナ操作部）２１，２２が、コンロバーナ１の燃焼開始指令および燃焼停止指令を指令する点消火指令手段としても機能するように構成されている。
なお、ガスコンロの前側面には、電源スイッチ２４、電源スイッチ２４がＯＮになったことを知らせる電源ランプ２５を備えている。
【００３３】
また、各火力調節指令手段（バーナ操作部）２１（２１標準バーナ操作部２１ａ、高火力バーナ操作部２１ｂ、小バーナ操作部２１ｃ）の周縁近傍には、火力表示手段２３として５個の燃焼表示ランプＬ１，Ｌ２，Ｌ３，Ｌ４，Ｌ５が配設されている（図３参照）。なお、この実施形態のガスコンロにおいては、上記燃焼表示ランプとしてＬＥＤが用いられている。
【００３４】
また、このガスコンロは、上述の火力調節指令手段（バーナ操作部）２１からの指令に基づいて、コンロバーナ１の火力を調節する火力調節手段（図示せず）とを備えている。
【００３５】
また、このガスコンロは、コンロバーナ１の燃焼を制御する制御部（運転制御手段）を備えており、この運転制御手段が、燃焼開始指令に基づいてコンロバーナ１の燃焼を開始し、かつ、燃焼停止指令に基づいてコンロバーナ１の燃焼を停止させる燃焼制御を実行するように構成されている。
【００３６】
また、制御部（運転制御手段）が、火力調節指令手段（バーナ操作部）２１の火力調節指令に基づいて、コンロバーナ１の火力を、設定最大火力（本実施形態では、３６１０ｋｃａｌ／ｈ）、設定最小火力（本実施形態では、３３０ｋｃａｌ／ｈ）、および、設定最大火力と設定最小火力との間に設定された複数段階の中間火力に調節することができるように前記火力調節手段を作動させる火力調節制御を実行する。
【００３７】
そして、このガスコンロにおいて、上述の火力調節指令手段（バーナ操作部）２１は、回転操作によりコンロバーナ１の火力調節指令を指令することが可能なロータリーエンコーダを用いて構成されている。
【００３８】
そして、ロータリーエンコーダを用いた火力調節指令手段（バーナ操作部）２１の火力調節指令に基づいて、コンロバーナ１の火力が、設定最大火力、設定最小火力、および、設定最大火力と設定最小火力との間に設定された複数段階の中間火力に調節されるように、火力調節手段（図示せず）を作動させる火力調節制御を実行するように構成されている。
なお、上記の中間火力の段数は、複数種類の段数に設定することができるように構成されている。
【００３９】
＜火力調節指令手段（ロータリーエンコーダ）について＞
この実施形態にかかるガスコンロにおいては、火力調節指令手段として、ロータリーエンコーダが用いられており、火力調節指令手段（ロータリーエンコーダ）は、図２（ａ），（ｂ）に示すように、正方向（時計回り）への回転操作に伴って２相のパルス信号のうちの一方（Ａ相）のパルス信号が他方（Ｂ相）のパルス信号より位相が進み、逆方向（反時計回り）への回転操作に伴って他方（Ｂ相）のパルス信号が一方（Ａ相）のパルス信号より位相が進む状態で、ロータリーエンコーダの回転操作に伴って互いに異なる位相の２相のパルス信号を出力するように構成されている。
【００４０】
また、この実施形態にかかるガスコンロでは、ロータリーエンコーダは、一周（３６０度）回転させたときに、Ａ相およびＢ相夫々において２４パルスを発生するように構成されている。
【００４１】
この実施形態では、制御部（運転制御手段）において、Ａ相から出力されるパルスの立ち上がりエッジｓｔを検出する回数によって、ロータリーエンコーダの回転操作量を判別する。
たとえば、制御部は、Ａ相から出力されるパルスの立ち上がりエッジｓｔをｎ回検出したときには、標準バーナの火力をｎ段変更する指令がなされたと判断する。
【００４２】
また、この実施形態では、制御部において、Ａ相から出力されるパルスの立ち上がりエッジｓｔを検出したときのＢ相が高レベルであるか低レベルであるかを検出し、その状態によって、ロータリーエンコーダが正方向（時計回り）に回転操作された標準バーナの火力増加指令であるのか、ロータリーエンコーダが逆方向（反時計回り）に回転操作された標準バーナの火力増加指令であるのかを判断する。
【００４３】
さらに具体的には、制御部は、図２（ａ）に示すように、Ａ相から出力されるパルスの立ち上がりエッジｓｔを検出したときのＢ相が低レベルであるときには、ロータリーエンコーダが正方向（時計回り）に回転操作された標準バーナの火力増加指令であると判断し、図２（ｂ）に示すように、Ａ相から出力されるパルスの立ち上がりエッジｓｔを検出したときのＢ相が高レベルであるときには、ロータリーエンコーダが逆方向（反時計回り）に回転操作された標準バーナの火力減少指令であると判断する。
【００４４】
また、この実施形態にかかるガスコンロは、従来のガスコンロ同様に、燃焼開始指令が指令された点火時に、設定点火用火力（この実施形態では、２６００ｋｃａｌ／ｈ）にてコンロバーナの点火を行うように構成されている。また、後述のように、設定点火用火力が変更設定されるように構成されている。
【００４５】
＜特徴的構成＞
この実施形態のガスコンロは、設定点火用火力を変更設定するための設定点火用火力変更設定部を備えており（図５および図６参照）、条件により、設定点火用火力を変更することができるように構成されている。
【００４６】
すなわち、この実施形態のガスコンロにおいては、設定点火用火力変更設定部が、コンロバーナ１の温度を判定する温度判定手段（後述）が判定する判定温度（ガスコンロ１の温度）が所定の温度より高い場合には、判定温度が所定の温度より低い場合に比べて、設定点火用火力を小さくする変更設定（例えば、２６００ｋｃａｌ／ｈであった設定点火用火力を１８００ｋｃａｌ／ｈに減少させる設定）を行うことができるように構成されている。
【００４７】
以下に、
（１）コンロバーナ１の、炎孔３１ａが形成されたバーナキャップ３１の温度を検出する温度センサ１０（図５）を、温度判定手段がコンロバーナ１の温度を判定するための温度データを検出する手段として用いるようにした場合（第１実施形態）（図５参照）、および、
（２）コンロバーナ１に供給される燃料ガスを空気と混合する混合管４１の温度を検出する温度センサ１０ａ（図６）を、温度判定手段がコンロバーナ１の温度を判定するための温度データの検出手段として用いるようにした場合（第２実施形態）（図６参照）、
とに分けて構成を説明する。
【００４８】
なお、上記第１実施形態および第２実施形態は、いずれもコンロバーナの温度を検出するための手段である上記温度センサ１０または温度センサ１０ａを、温度判定手段がコンロバーナの温度を判定するために必要な温度データを検出する手段として用いるようにした場合の構成例である。
【００４９】
なお、以下の第１実施形態および第２実施形態においては、制御部（運転制御手段）（図４、図５）が、コンロバーナ１の温度を判定する温度判定手段としての機能を果たすように構成されている。
【００５０】
（１）第１実施形態（バーナキャップの温度を検出する温度センサを、温度判定手段がコンロバーナの温度を判定するための温度データを検出する手段として用いるようにした場合）について。
図５に示すように、第１実施形態にかかるガスコンロは、コンロバーナ１の、炎孔３１ａを周囲に備えたバーナキャップ３１の温度を検出するための温度センサ（サーミスタ）１０をコンロバーナ温度検出手段として備えている。そして、この温度センサ１０が、温度判定手段がコンロバーナ１の温度を判定するための温度データの検出手段として機能するように構成されている。
【００５１】
なお、この第１実施形態においては、制御部（運転制御手段）（図４，図５）がコンロバーナ１の温度を判定する温度判定手段としての機能を果たすように構成されている。
【００５２】
この第１実施形態のガスコンロにおいて、バーナキャップ３１の温度を判定する温度センサ１０の検出温度が１８０℃未満である場合には、温度判定手段が、コンロバーナ１の温度が所定の温度よりも低いと判定して、設定点火用火力を２６００ｋｃａｌ／ｈに維持する。
【００５３】
一方、バーナキャップ３１の温度を検出する温度センサ１０の検出温度が１８０℃以上である場合には、温度判定手段が、コンロバーナ１の温度が所定の値より高いと判定して、設定点火用火力を２６００ｃａｌ／ｈから１８００ｃａｌ／ｈにまで減少させる変更設定を行う。
【００５４】
なお、温度判定手段が、コンロバーナ１の温度が所定の温度よりも低いか高いかを判定する場合における「所定の温度」は、実際に点火を行う際に確実な火移りを可能にして、信頼性の高い点火を行わせることができる温度であるか否かを分ける概念であるが、コンロバーナの構造や、燃料ガスの種類、燃料ガス、一次空気、二次空気などの供給態様などとの関係を考慮して定められる温度であり、固定的な値として特定されるものではない。
【００５５】
（２）第２実施形態（コンロバーナに供給される燃料ガスを空気と混合する混合管の温度を検出する温度センサを、温度判定手段がコンロバーナの温度を判定するための温度データの検出手段として用いるようにした場合）について
第２実施形態にかかるガスコンロは、上述の第１実施形態の構成とは異なり、図６に示すように、コンロバーナ１に供給される燃料ガスを空気と混合する混合管４１の温度を検出する温度センサ（サーミスタ）１０ａが、温度判定手段がコンロバーナ１の温度を判定するための温度データの検出手段として機能するように構成されている。
なお、この第２実施形態においても、制御部（運転制御手段）（図４，図６）がコンロバーナ１の温度を判定する温度判定手段としての機能を果たすように構成されている。
【００５６】
そして、温度センサ１０ａの検出温度が６０℃未満である場合には、温度判定手段が、コンロバーナ１の温度が所定の温度よりも低いと判定して、設定点火用火力を２６００ｋｃａｌ／ｈに維持する。
【００５７】
一方、混合管４１の温度を検出する温度センサ１０ａの検出温度が６０℃以上である場合には、温度判定手段が、コンロバーナ１の温度が所定の値より高いと判定して、設定点火用火力を２６００ｋｃａｌ／ｈから１８００ｋｃａｌ／ｈにまで減少させる変更設定を行う。
【００５８】
混合管４１は、ノズル４２から噴出する燃料ガスと、このノズル４２の周囲からエジェクタ効果により吸引された一次空気が混合される管であり、この混合管４１に当接する温度センサ１０ａを、温度判定手段がコンロバーナの温度を判定するための温度データの検出手段として用いることにより、コンロバーナ１の温度を判定する温度判定手段が、コンロバーナ１の温度を判定するのに必要な温度データが検出される。
【００５９】
混合管４１は、その温度がコンロバーナ１の燃料ガスへの着火性に直接関連する炎孔付近とは離れているが、混合管４１の温度は、炎孔付近の温度に密接な相関関係があるので、混合管４１の温度（炎孔付近の温度と密接な相関関係のある温度）を、温度判定手段がコンロバーナの温度を判定するための温度データとして利用することで、温度判定手段がコンロバーナの温度を精度よく判定することが可能になり、的確に設定点火用火力を変更設定することができる。
【００６０】
上述のように、上記第１実施形態では、温度センサ１０を用いて、バーナキャップ３１の温度を検出し、また、上記第２実施形態では、温度センサ１０ａを用いて混合管４１の温度を検出することで得られた温度データから、温度判定手段がコンロバーナ１の温度を判定することができるように構成しているので、第１実施形態および第２実施形態のいずれの場合も、コンロバーナ１の温度を精度よく判定することができる。
【００６１】
そして、温度判定手段により判定されたコンロバーナ１の温度が高い場合に設定点火用火力を抑制することで、点火時のコンロバーナの炎の広がりが軽減される。
【００６２】
また、コンロバーナの温度が高い場合には、燃料ガスへの着火性が高く、設定点火用火力を抑制しても点火時の火移りも良好で点火不良を引き起こすことがない。
また、コンロバーナ１の温度が低い場合には、設定点火用火力が大きい状態で維持されるので、火移り不良などの発生を防止して、十分な点火性能を確保することができる。
【００６３】
したがって、上記第１実施形態および第２実施形態の構成を備えることにより、点火時のコンロバーナの炎の広がりを抑制することが可能で、かつ、火移り不良などを引き起こすことがなく、点火信頼性の高いガスコンロを提供することが可能になる。
【００６４】
＜変形例＞
上記第１実施形態では、温度センサ１０を用いて、バーナキャップ３１の温度を検出し、また、上記第２実施形態では、温度センサ１０ａを用いて混合管４１の温度を検出して得た温度データを用いて、温度判定手段がコンロバーナ１の温度を判定するように構成しているが、以下の変形例１および２のような構成とすることも可能である。
【００６５】
（変形例１）
上記第１実施形態では、バーナキャップ３１の温度を検出する温度センサ１０を用い、上記第２実施形態では、混合管４１の温度を検出する温度センサ１０ａを用いて、温度判定手段がコンロバーナの温度を判定するための温度データを得るようにしているが、着火検出手段（この実施形態では熱電対）８により、温度判定手段がコンロバーナを判定する際に必要な温度データを得るように構成することができる。
【００６６】
このように構成した場合、コンロバーナ１に本来的に備える構成要素を、コンロバーナの温度判定に利用することができるので、バーナキャップ３１の温度を検出する温度センサ１０や、コンロバーナ１の混合管４１に当接する温度センサ１０ａを設けることを不要にして、製造コストを削減することが可能になり、経済性に優れたガスコンロを提供することができる。
【００６７】
（変形例２）
また、特に図示しないが、燃焼開始指令が指令された後、燃焼時間を計測する燃焼時間タイマを備えるとともに、燃焼時間タイマにより計測される燃焼時間が所定の時間（例えば１００秒）以上の場合に燃焼停止指令が指令された後の経過時間を燃焼後燃焼停止時間として計測する燃焼後燃焼停止時間タイマを備えている場合において、燃焼後燃焼停止時間タイマの値が所定の時間（例えば１秒）以下の状態で燃焼開始指令が指令されたときは、燃焼後燃焼停止時間タイマの値が所定時間（例えば１秒）より大きい状態で燃焼開始指令が指令されたときと比べて、上記判定温度が高いと判定するように構成することも可能である。なお、所定時間の燃焼後における燃焼停止時間が短い場合には、コンロバーナが高い温度を保っているので、燃焼停止時間の長さによってコンロバーナの温度（判定温度）の高低を判定することには合理性があり、実用上問題のない信頼性を確保することができる。
【００６８】
この変形例２のように構成した場合、バーナキャップの温度を検出する温度センサや、コンロバーナの混合管に当接する温度センサなどを設けることを必要とせず、ソフトウェアのみで温度判定を行うことが可能になり、コストの削減を図ることができる。
【００６９】
なお、本発明は上記実施形態および変形例に限定されるものではなく、発明の範囲内において種々の応用、変形を加えることが可能である。
【符号の説明】
【００７０】
１      コンロバーナ
１ａ    標準バーナ
１ｂ    高火力バーナ
１ｃ    小バーナ
２      グリルバーナ
２ａ    上側バーナ
２ｂ    下側バーナ
２ｃ    下側バーナ
３      流量制御弁（ガス量調節弁）
４      グリル部
７      点火プラグ
８      熱電対
９      温度センサ（鍋底センサ）
１０    バーナキャップの温度を検出する温度センサ
１０ａ  混合管の温度を検出する温度センサ
１１    元ガス供給路（主ガス配管）
１２    元ガス電磁弁
１３ａ  標準バーナ用分岐路
１３ｂ  高火力バーナ用分岐路
１３ｃ  小バーナ用分岐路
１３ｄ  グリルバーナ用分岐路
１９    位置センサ
２１    火力調節指令手段（バーナ操作部）
２１ａ  標準バーナ操作部
２１ｂ  高火力バーナ操作部
２１ｃ  小バーナ操作部
２２    グリルバーナ操作部
２３    燃焼表示ランプ、火力表示部
２４    電源スイッチ
２５    電源ランプ
３１    バーナキャップ
３１ａ  炎孔
４１    混合管
４２    ノズル
Ｌ１〜Ｌ５      燃焼表示ランプ（加熱量表示手段）
【図１】
0006445349.tif 000002
【図２】
0006445349.tif 000003
【図３】
0006445349.tif 000004
【図４】
0006445349.tif 000005
【図５】
0006445349.tif 000006
【図６】
0006445349.tif 000007